(57)【要約】      （修正有）【課題】雨水浸透桝に関し、桝本体に流入したゴミやドロによる導出孔の目詰まりを防止しつつ、桝本体から雨水Ｗを地中に勢いよく排水することで浸透率の向上を図った雨水浸透桝を提供する。【解決手段】桝本体３１の側壁上部に雨水Ｗを導入する導入管が取り付き、桝本体３１の下部に桝本体３１を支持する底版塊３９が取り付くと共に、桝本体３１の側壁と底版塊３９に、雨水Ｗを地中に浸透させる複数の導出孔３７が設けられた雨水浸透桝５５に於て、上記桝本体３１の側壁に設ける導出孔３７を、桝本体３１の内面から外面へ向けて順次拡開し、且つ下方に傾斜した断面卵形状の導出孔３７とした。また、雨水浸透桝５５に於て、底版塊３９に設ける導出孔を、底版塊３９の内面から外面へ向けて順次拡開する断面卵形状の導出孔４１とした。【選択図】      図２
2004169295.tif 000002
【特許請求の範囲】
【請求項１】
桝本体の側壁上部に雨水を導入する導入管が取り付き、桝本体の下部に桝本体を支持する底版塊が取り付くと共に、桝本体の側壁と底版塊に、雨水を地中に浸透させる複数の導出孔が設けられた雨水浸透桝に於て、
上記桝本体の側壁に設ける導出孔を、桝本体の内面から外面へ向けて順次拡開し、且つ下方に傾斜した断面卵形状の導出孔としたことを特徴とする雨水浸透桝。
【請求項２】
底版塊に設ける導出孔を、底版塊の内面から外面へ向けて順次拡開する断面卵形状の導出孔としたことを特徴とする請求項１記載の雨水浸透桝。
【発明の詳細な説明】
【０００１】
【発明の属する技術分野】
本発明は、雨水を一時的に貯留して、その後地中に浸透させる雨水浸透桝に関する。
【０００２】
【従来の技術】
近年、宅地等では、雨水を一時的に貯留して、その後地中に浸透させる雨水浸透桝が広く使用されている（例えば、特許文献１参照。）。
【特許文献１】
実開平２−１３６１８５号公報（第１頁、第１図）
図９乃至図１３は、上記特許文献１に開示された雨水浸透桝を示し、図９中、１は角形のコンクリート製の筒体１ａ，１ｂ．１ｃを３段に重ねて構成された桝本体で、上段の筒体１ａの側壁には、桝本体１内に雨水を導入するパイプ（導入管）３の取付孔５が設けられている。
【０００３】
そして、中段，下段に位置する筒体１ｂ．１ｃの側壁には、桝本体１内に一旦貯留した雨水を地中に浸透させる断面円形状の導出孔７が複数形成されており、図１０及び図１１に示すように導出孔７は、周囲の土砂が桝本体１内に浸入するのを防止するため、夫々、桝本体１の内面１−１から外面１−２に向かって順次拡開し、且つ下方に傾斜した形状となっている。
【０００４】
また、桝本体１の下部には、当該桝本体１の下面の面積より広い版塊面積を有する角型の底版塊９が設けられており、その中央部には、図１２及び図１３の如くスリット状に形成された平面視矩形状の導出孔１１が複数並設されている。そして、底版塊９の上面には、桝本体１を支持，固定する段付突起台１３が設けられ、その段付突起台１３には、四方各箇所に切欠部１５が設けられている。
【０００５】
而して、桝本体１は上記底版塊９の段付突起台１３上に載置されるが、桝本体１の下面と底版塊９の上面との間には、既述した切欠部１５によって開口１７が形成されている。そして、桝本体１上には環状体１９が取り付き、当該環状体１９に、通気孔２１が形成された蓋体２３が取り付いた構造となっている。
雨水浸透桝２５はこのように構成されており、図１２の如く雨水浸透桝２５は地中に埋設した状態で使用され、パイプ３で導いた雨水Ｗを桝本体１内に一旦貯留し、その後、貯留した雨水Ｗを導出孔７，１１と開口１７から地中に浸透させて、雨水Ｗを処理するようになっている。
【０００６】
【発明が解決しようとする課題】
このように従来の雨水浸透桝２５は、桝本体１内に貯留した雨水Ｗを導出孔７，１１と開口１７から地中に浸透させる構造で、導出孔７が桝本体１の内面１−１から外面１−２に向かって順次拡開し、且つ下方に傾斜した断面円形状とされているため、周囲の土砂が導出孔７を通って桝本体１内に浸入することがない。
【０００７】
しかし、パイプ３や通気孔２１から流入する雨水Ｗには、ゴミ（例えば、細かく千切れた落葉等のチリ）やドロが含まれている。
そして、桝本体１に流入したこれらのゴミやドロを導出孔７から勢いよく排水させることで導出孔７の目詰まりが防止でき、また、桝本体１から雨水Ｗを地中に勢いよく排水させることで浸透率が向上するのが実情で、ゴミやドロによる導出孔７の目詰まりを防止しつつ、更なる浸透率の向上が望まれていた。
【０００８】
また、図１３に示すように導出孔１１が平面視矩形状に形成されていると、雨水Ｗが導出孔１１を流下する際に、雨水Ｗ中のゴミやドロが水圧で導出孔１１の四隅（角部）に押し当てられてしまい、この結果、長期に亘る使用で導出孔１１が四隅から次第に目詰まりしてしまう虞も指摘されていた。
本発明は斯かる実情に鑑み案出されたもので、桝本体に流入したゴミやドロによる導出孔の目詰まりを防止しつつ、桝本体から雨水を地中に勢いよく排水することで浸透率の向上を図った雨水浸透桝を提供することを目的とする。
【０００９】
【課題を解決するための手段】
斯かる目的を達成するため、請求項１に係る発明は、桝本体の側壁上部に雨水を導入する導入管が取り付き、桝本体の下部に桝本体を支持する底版塊が取り付くと共に、桝本体の側壁と底版塊に、雨水を地中に浸透させる複数の導出孔が設けられた雨水浸透桝に於て、上記桝本体の側壁に設ける導出孔を、桝本体の内面から外面へ向けて順次拡開し、且つ下方に傾斜した断面卵形状の導出孔としたことを特徴とする。
【００１０】
そして、請求項２に係る発明は、請求項１記載の雨水浸透桝に於て、底版塊に設ける導出孔を、底版塊の内面から外面へ向けて順次拡開する断面卵形状の導出孔としたものである。
【００１１】
（作用）
請求項１に係る発明によれば、桝本体の側壁に設ける導出孔を断面卵形状に形成することで、断面円形状に形成した従来の導出孔に比し流水断面積が増加するため、導出孔を流下する雨水の水量が増加し、而も、導出孔は桝本体の内面から外面へ向け順次拡開するように形成されているため、桝本体から内面側の導出孔に雨水が流入する際に、所謂「ベンチュリ作用」で流速が早まって流れが強まると共に、断面卵形状としたことで導出孔を流下する雨水に対して水圧が高くなることも相俟って、桝本体内に貯留された雨水が導出孔から地中に勢いよく排出され、雨水に含まれるゴミやドロも導出孔から地中に勢いよく排水されることとなる。
【００１２】
また、導出孔は、桝本体の内面から外面へ向けて下方に傾斜するように形成されているから、周囲の土砂が桝本体内に浸入することもない。
そして、請求項２に係る発明によれば、底版塊側にも、底版塊の内面から外面へ向けて順次拡開する断面卵形状の導出孔が複数設けられているため、同様に桝本体内に貯留された雨水が導出孔から地中に勢いよく排出され、雨水に含まれるゴミやドロも導出孔から地中に勢いよく排水されることとなる。
【００１３】
【発明の実施の形態】
以下、本発明の実施形態を図面に基づき詳細に説明する。
図１乃至図６は請求項１及び請求項２に係る雨水浸透桝の第一実施形態を示し、図１に於て、３１は図９の桝本体１と同様、角形のコンクリート製の筒体３１ａ，３１ｂ．３１ｃを３段に重ねて構成した桝本体で、上段の筒体３１ａの側壁には、図２の如く桝本体３１内に雨水Ｗを導入するパイプ（導入管）３３の取付孔３５が設けられている。
【００１４】
また、中段，下段に位置する筒体３１ｂ．３１ｃの側壁には、桝本体３１内に一旦貯留した雨水Ｗを地中に浸透させる複数の導出孔３７が形成されており、図３及び図４に示すように本実施形態は、図１０に示す断面円形状の導出孔７に代え、上記導出孔３７を、桝本体３１の内面３１−１から外面３１−２へ向けて順次拡開し、且つ下方に傾斜する断面卵形状の導出孔３７としたことを第１の特徴としている。
【００１５】
尚、図３に示すように断面卵形状の導出孔３７は、恰も野球のホームベースの如き形状の角部にアールをつけた形態をなしており、その幅寸法Ｌと高さ寸法ＨはＬ＝Ｈの関係にある。
【００１６】
そして、桝本体３１の下部には、当該桝本体３１の下面の面積より広い版塊面積を有する角型の底版塊３９が設けられているが、図５及び図６に示すように当該底版塊３９には、図１３に示すスリット状の導出孔１１に代え、底版塊３９の内面３９−１から外面（底面）３９−２へ向けて順次拡開する断面卵形状の導出孔４１が、その中心から略放射状に複数形成されており、導出孔４１は導出孔３７の断面形状と同一である。
【００１７】
このように本実施形態は、断面卵形状の導出孔４１を底版塊３９に複数設けたことを第２の特徴としている。
そして、底版塊３９の上面には、図１３の底版塊９と同様、桝本体３１を支持，固定する段付突起台４３が設けられており、その段付突起台４３には四方各箇所に切欠部４５が設けられている。そして、桝本体３１は上記底版塊３９の段付突起台４３上に載置されるが、桝本体３１の下面と底版塊３９の上面との間に、前記切欠部４５によって開口４７が形成されている。
【００１８】
更に、桝本体３１上には、既述した桝本体１と同様、環状体４９が取り付き、当該環状体４９に、通気孔５１が形成された蓋体５３が取り付いた構造となっている。
本実施形態に係る雨水浸透桝５５はこのように構成されており、当該雨水浸透桝５５も、従来と同様、地中に埋設した状態で使用される。
【００１９】
そして、パイプ３３や通気孔５１から流入した雨水Ｗが桝本体３１内で一旦貯留された後、複数の導出孔３７，４１や開口４７から地中に浸透していくが、既述したように導出孔３７は、桝本体３１の内面３１−１から外面３１−２へ向けて順次拡開する断面卵形状に形成されているため、断面円形状に形成された図１０の導出孔７に比し流水断面積が増加して、流れる水量が増加する。
【００２０】
表１は断面卵形状に形成された導出孔３７の流水断面積（単位ｍ２  ）を示し、表に於ける「２５０」，「３００」，「３５０」，・・・「６００」は、夫々、導出孔３７の幅寸法Ｌ（単位ｍｍ）を表している。
【表１】
2004169295.tif 000003
而して、表１から明らかなように、例えば幅寸法Ｌ＝２５０（ｍｍ）の導出孔３７の流水断面積（全面積ΣＡ）は０．０４９５ｍ２  、また、幅寸法Ｌ＝３５０（ｍｍ）の導出孔３７の流水断面積（全面積ΣＡ）は０．０９９８ｍ２  である。
【００２１】
そして、表２は上記導出孔３７と同一形状の流水路を有するクリーン側溝と、「２５０」，「３００」，「３５０」，・・・「６００」の内径φ（単位ｍｍ）からなる断面円形状の流水路を有するヒューム管との流水断面積を比較したもので、表２から明らかなように総ての幅寸法に於て、断面卵形状の流水路の流水断面積が、断面円形状の流水路の流水断面積より大きくなっている。
【表２】
2004169295.tif 000004
このように導出孔３７を断面卵形状に形成することで、断面円形状に形成した図１０の導出孔７に比し流水断面積が増加するため、導出孔３７を流下する雨水Ｗの水量が増加し、而も、導出孔３７は桝本体３１の内面３１−１から外面３１−２へ向け順次拡開するように形成されているため、桝本体３１から内面３１−１側の導出孔３７に雨水Ｗが流入する際に、所謂「ベンチュリ作用」で流速が早まって流れが強まると共に、断面卵形状としたことで導出孔３７を流下する雨水Ｗに対して水圧が高くなることも相俟って、桝本体３１内に貯留された雨水Ｗが導出孔３７から地中に勢いよく排出され、雨水Ｗに含まれるゴミやドロも導出孔３７から地中に勢いよく排水されることとなる。
【００２２】
そして、導出孔３７は、桝本体３１の内面３１−１から外面３１−２へ向けて下方に傾斜するように形成されているから、従来と同様、周囲の土砂が桝本体３１内に浸入することもない。
一方、底版塊３９側にも、底版塊３９の内面３９−１から外面３９−２へ向けて順次拡開する断面卵形状の導出孔４１が複数設けられているため、同様に桝本体３１内に貯留された雨水Ｗが導出孔４１から地中に勢いよく排出され、雨水Ｗに含まれるゴミやドロも導出孔４１から地中に勢いよく排水されることとなる。
【００２３】
従って、本実施形態によれば、図９に示す従来の雨水浸透桝２５に比し、桝本体３１から雨水Ｗを地中に大量且つ流速を早めて勢いよく排水することで、雨水Ｗと共に流入したゴミやドロによる導出孔３７，４１の目詰まりを防止しつつ、雨水Ｗの浸透率の向上を図ることが可能となった。
尚、上記実施形態では、導出孔３７，４１を恰も野球のホームベースの如き形状の角部にアールをつけた断面卵形状としたが、本発明の「断面卵形状」には、図７の如き逆おむすび形状のものも含まれる。
【００２４】
従って、既述した導出孔３７，４１に代え、図７及び図８に示すように逆おむすび形状からなる断面卵形状の複数の導出孔３７−１を、桝本体３１の内面３１−１から外面３１−２へ向けて順次拡開し乍ら下方に傾斜して設けたり、図示しないが底版塊側にも、その内面から外面へ向けて順次拡開する逆おむすび形状からなる断面卵形状の導出孔を複数設けてもよい。
【００２５】
而して、斯かる実施形態によっても、上記第一実施形態と同様、所期の目的を達成することが可能で、桝本体３１から雨水Ｗを地中に大量且つ流速を早めて勢いよく排水することで、雨水Ｗと共に流入したゴミやドロによる導出孔３７−１の目詰まりを防止しつつ、雨水Ｗの浸透率の向上を図ることが可能である。
【００２６】
【発明の効果】
以上述べたように、請求項１に係る発明によれば、桝本体の側壁に設けた導出孔から雨水を地中に大量且つ流速を早めて勢いよく排水することができるので、雨水と共に流入したゴミやドロによる導出孔の目詰まりを防止しつつ、浸透率の向上を図ることが可能となった。
【００２７】
そして、請求項２に係る発明によれば、上述の如き効果に加え、底版塊に設けた導出孔からも雨水を地中に大量且つ流速を早めて勢いよく排水することができるので、雨水と共に流入したゴミやドロによる導出孔の目詰まりを防止しつつ、更に浸透率の向上を図ることが可能となる。
【図面の簡単な説明】
【図１】請求項１及び請求項２の第一実施形態に係る雨水浸透桝の全体斜視図である。
【図２】図１に示す雨水浸透桝の断面図である。
【図３】図１に示す雨水浸透桝の要部拡大正面図である。
【図４】図３のＩＶ−ＩＶ線断面図である。
【図５】図１の雨水浸透桝に用いた底版塊の平面図である。
【図６】図５のＶＩ−ＶＩ線断面図である。
【図７】請求項１及び請求項２の第二実施形態に係る雨水浸透桝の要部拡大正面図である。
【図８】図７のＶＩＩＩ−ＶＩＩＩ線断面図である。
【図９】従来の雨水浸透桝の全体斜視図である。
【図１０】従来の導出孔の正面図である。
【図１１】図１０に示す導出孔の断面図である。
【図１２】図９に示す雨水浸透桝の使用状態の説明図である。
【図１３】図９の雨水浸透桝に用いた底版塊の平面図である。
【符号の説明】
３１  桝本体
３１ａ，３１ｂ．３１ｃ  筒体
３３  パイプ
３７，３７−１，４１  導出孔
３９  底版塊
４７  開口
５５  雨水浸透桝
【図１】
2004169295.tif 000005
【図２】
2004169295.tif 000006
【図３】
2004169295.tif 000007
【図４】
2004169295.tif 000008
【図５】
2004169295.tif 000009
【図６】
2004169295.tif 000010
【図７】
2004169295.tif 000011
【図８】
2004169295.tif 000012
【図９】
2004169295.tif 000013
【図１０】
2004169295.tif 000014
【図１１】
2004169295.tif 000015
【図１２】
2004169295.tif 000016
【図１３】
2004169295.tif 000017